(57)【特許請求の範囲】
【請求項１】
脛骨補綴具を収納するために患者の近位脛骨を切除する切除ガイド（７５）であって、
（ａ）器具本体（７６）と、
（ｂ）患者の骨髄内管（１２）に通すことが可能で、その骨髄内管を基準にして外科医が外科的切除を行うことが可能なロッド（２１）に取り付けるための搭載手段と、
（ｃ）患者の近位脛骨内に長手方向に沿って完全に押し込むことが可能なカッティング部材（７８）と、
（ｄ）外科用鋸子刃をガイドする少なくとも１つのカッティングガイド面（９０，９１）とを備え、
カッティング部材（７８）が、切除ガイド（７５）と一体の部材である脛骨補綴具を収納するために患者の近位脛骨を切除する切除ガイド。
【請求項２】
前記器具本体（７６）が、一対の柱部材を平行に配置した形状を有し、それにより、側面からみてほぼ逆Ｕ字形状である請求項１記載の切除ガイド。
【請求項３】
前記本体が、第１の柱（７７）と第２の柱（８２）とを備え、これらの柱が器具本体（７６）に沿って互いに離れ、かつ互いに平行に配置されてなる請求項１または２記載の切除ガイド。
【請求項４】
前記第２の柱（８２）が一対のフランジ部（８３，８４）を支持してなる請求項３記載の切除ガイド。
【請求項５】
前記一対のフランジ部が、上部フランジ（８３）と下部フランジ（８４）からなり、その下部フランジが上面（９１）を有してなる請求項４記載の切除ガイド。
【請求項６】
前記下部フランジの上面（９１）が第１カッティングガイド面となる請求項５記載の切除ガイド。
【請求項７】
前記第１の柱（７７）の端部にカッティング部材（７８）が配置されてなる請求項３〜６のいずれか１つに記載の切除ガイド。
【請求項８】
前記カッティング部材（７８）が複数のブレード（７９，８０，８１）からなり、それら複数のブレードの少なくとも１つが第２カッティングガイド面（９０）となる上面を備えてなる請求項３〜７のいずれか１つに記載の切除ガイド。
【請求項９】
第１カッティングガイド面（９１）と第２カッティングガイド面（９０）とが同一平面上にある請求項８記載の切除ガイド。
【請求項１０】
前記複数のブレードが放射状に配置されてなる請求項８または９記載の切除ガイド。
【請求項１１】
前記器具本体が、その一部に、カッティング部材（７８）を脛骨内に完全に押し込むために使用者がハンマーでたたくことが可能な平面部（８８）を有してなる上記請求項のいずれか１つに記載の切除ガイド。
【請求項１２】
前記搭載手段が、器具本体をロッド（２１）に取り付けることができ、かつカッティング部材（７８）を患者の近位脛骨の中央に位置づけることが可能な、両端に開口を有する開放垂直穴（８７）を有してなる上記請求項のいずれか１つに記載の切除ガイド。
【請求項１３】
前記開放垂直穴（８７）がほぼ円筒形である請求項１２記載の切除ガイド。
【請求項１４】
前記開放垂直穴（８７）が、第１の柱（７７）とカッティング部材（７８）とを通って垂直方向に延びる請求項１２または１３記載の切除ガイド。
【請求項１５】
第２カッティングガイド面（９０）が前記ロッドの中心軸を横切る面を形成する請求項８〜１４のいずれか１つに記載の切除ガイド。
【請求項１６】
第１カッティングガイド面（９１）と第２カッティングガイド面（９０）は、外科用鋸子刃がこれらのカッティングガイド面の少なくとも一方の面でガイドされるように配置されてなる請求項８〜１５のいずれか１つに記載の切除ガイド。
【請求項１７】
（ａ）脛骨補綴具を収納するために患者の近位脛骨を切除する際、外科用鋸子刃をガイドするための横向きの第１カッティングガイド面を有する器具本体と、
（ｂ）器具本体と患者の近位脛骨とを接合し、患者の近位脛骨の骨組織内に切り込んで、その骨組織内に完全に押し込むことが可能なカッティングエッジを有するブレード部材と、
（ｃ）患者の骨髄内管に通すことが可能で、その骨髄内管に関して前記第１カッティングガイド面（９１）が基準となるように前記器具本体を取り付けることが可能なロッド（２１）とを備え、
前記ブレード部材が、第１カッティングガイド面（９１）と共に１つの平面を形成する第２カッティングガイド面（９０）を有し、それによって外科用鋸子刃が第１カッティングガイド面と第２カッティングガイド面との双方でガイドされる脛骨補綴具を収納するために患者の近位脛骨を切除する脛骨切除ガイド。
【請求項１８】
（ａ）患者の骨髄内管に通すことが可能で、その骨髄内管を基準にして外科医が外科的切除を行うことが可能なロッド（２１）と、
（ｂ）患者の近位脛骨の一次切除の際に外科用鋸子刃をガイドするための第１切除ガイド（２０）と、
（ｃ）外科医が患者の近位脛骨から組織の層を削ることを可能にする第２切除ガイド（７５）とを備え、
第１切除ガイド（２０）と第２切除ガイド（７５）は、それぞれ独立してロッド（２１）に取り付け可能であり、前記第２切除ガイド（７５）が、請求項１〜１７のいずれか１つに記載された切除ガイドである脛骨補綴具を収納するために患者の近位脛骨を切除する脛骨切除ガイド器具。
【発明の詳細な説明】
【技術分野】
【０００１】
この発明は、整形外科用器具および外科的方法に関し、詳しくは、膝の補綴具を取り付けるために患者の近位脛骨（proximal tibia）を切除するための改良された装置に関する。さらに詳しくは、この発明は、一次切除ガイドを用いて患者の近位脛骨を切除し、次に、二次切除ガイドで近位脛骨を二次切除するための改良された装置に関する。この二次切除ガイドは、切除中に鋸子の刃を案内する上部ガイド面を有し、近位脛骨に入り込むブレードを有する。
【背景技術】
【０００２】
膝関節置換手術において、一般に外科医は、患者の大腿骨および脛骨に対して２つの補綴具コンポーネントを固定する。これらの置換コンポーネントは、大腿骨コンポーネントおよび脛骨コンポーネントとして一般に知られている。
【０００３】
大腿骨コンポーネントは、外科医が複数の外科的切除を施した後、患者の遠位大腿骨（distal femur）に装着される。一般タイプの大腿骨補綴具はＪ字形になっている。通常、大腿骨補綴具は金属製で、高度に研磨された外部大腿骨関節接合面を有する。
【０００４】
一般タイプの脛骨補綴具は、近位脛骨が外科医によって横方向に切除された後に患者の近位脛骨に適合する形状を有する横方向に延びるトレイを用いる。また、脛骨補綴具は、このトレイの中央からトレイにほぼ垂直に延びる柄（stem）またはプラグを備える。その柄は、外科的に形成された開口部内に設置され、近位脛骨に形成された横断面から患者の骨髄内管内へ延びる。
【０００５】
この脛骨トレイには、プラスチック重合体の挿入物が付設される。この挿入物は、患者の脛骨が患者の大腿骨に対する全動作範囲にわたって動くときに、大腿骨関節面と共に関節をなす脛骨関節面を提供する。
【発明の開示】
【発明が解決しようとする課題】
【０００６】
膝関節置換手術についての問題の一つは、患者への正確な適合の問題である。各患者は異なる骨の構造と結合構造を有する。外科医がＸ線を用いて膝関節の患者特有の解剖学的構造を調査しても、膝関節が外科的に露出された後に外科医が大腿骨と脛骨に切除を施し始めるまで、外科医は患者の解剖学的構造について完全に正しく認識しない。
【０００７】
膝関節補綴具コンポーネントは、不定なサイズでは利用できない。外科医は、患者の解剖学的構造を検査し、必要な外科的切除を施し、適合する補綴具コンポーネントを装着しなければならない。
【０００８】
外科医が骨セメントを用いて補綴具を適所に固定する場合、補綴具の適合性のいかなる不一致も幾分、骨セメントによって補償されるかもしれない。しかしながら、骨セメントが使用されず、むしろ自然の骨の内部成長によって適所に補綴具を固定しようとする場合、補綴具の適合性はことのほか良くなければならない。したがって、より良い適合性を補綴具に確実に与える脛骨切除装置を提供する必要性がある。
この必要性を満たすのが本発明の１つの目的である。
【０００９】
外科医が骨セメントを用いて補綴具を適所に固定する場合、補綴具の適合性のいかなる不一致も幾分、骨セメントによって補償されるかもしれない。しかしながら、骨セメントが使用されず、むしろ自然の骨の内部成長によって適所に補綴具を固定しようとする場合、補綴具の適合性はことのほか良くなければならない。したがって、より良い適合性を補綴具に確実に与える脛骨切除装置を提供する必要性がある。
この必要性を満たすのが本発明の１つの目的である。
【００１０】
トレイと、関節面を有するプラスチック挿入物と、補綴具が埋め込みされるときに最初に固定される柄部分とを有する脛骨コンポーネントに関する多数の脛骨コンポーネントがこれまで特許されている。膝関節置換手術の一部として、脛骨補綴具挿入物を収納するために患者の近位脛骨を前処置するための切除器具に関する他の特許が発行されている。
【００１１】
マレイ（Murray）特許第４，０１６，６０６号は、トレイと、患者の大腿骨の縦方向の骨に受け入れられるようにした柄とを有する脛骨コンポーネントを備えた膝関節補綴具を開示している。その柄は、挿入物の回転楕円面状凹部の半径とほぼ同じ半径を有するほぼ回転楕円面状の表面と一体になった一端を有する。
【００１２】
チアリジオ（Chianizzio）特許第４，６０１，２８９号では、股関節部埋め込み手段に用いられる大腿部試用補綴具／やすり（rasp）組立体が開示されている。この組立体は、試用整復に用いられる大腿部補綴具のヘッド用搭載片材として後で作用する試用補綴具／やすり上の柱にクランプして固定することにより、組み合わせ試用補綴具／やすりを確実につかむハンドルを備える。
【００１３】
モジュール式の脛骨補綴具は、シャウ（Shaw）の特許第４，９３８，７６９号に開示されている。このシャウ特許は、全膝関節形成処置中に用いるための脛骨補綴具を開示し、その補綴具は骨内固定組立体からなるモジュール式の２要素脛骨コンポーネントを備え、その組立体には支持挿入物を受け入れて保持するようにした脛骨トレイが移動可能に付設される。トレイを除去することにより、除去または修正が必要な場合に骨と固定組立体との界面にアクセスできる。好ましい実施態様では、発明は、即時固定用骨セメントと長期間の骨の内部成長に対する適応を特徴とする脛骨補綴具の複合固定を提供する。シャウはまた、固定を向上させるための多孔質コーティングの使用を論じている。
【００１４】
ジェームズ  シャウ（James Shaw）に交付された米国特許第４，９３８，７６９号は、脛骨補綴具用の端骨固定組立体を開示し、その組立体は軸方向に細長く延びる中央の柄と、この柄から離れた複数の細長い固定釘とを備える。柄と釘とは、近位端と遠位端とを有する。柄の近位端は、装着テーブルを形成する。複数の構造的な輪が釘と柄とを連結する。脛骨トレイをその組立体に離脱可能に付設する手段が設けられ、各釘は構造的な輪によって柄に接続される。
【００１５】
膝関節置換補綴具用脛骨コンポーネントは、ローウェズ（Lawes）他の特許第５，０８０，６７５号に開示されている。ローウェズは、適切に前処置された脛骨に接続するための脛骨トレイを備えた膝関節置換補綴具用脛骨コンポーネントを開示し、そのトレイは固定した横および中央顆支持コンポーネントを備える。その中央コンポーネントのみが、その下に設けられたショック吸収体を有する。
【００１６】
トミヒサ  コシノ（Tomihisa Koshino）に交付された米国特許第５，１３７，５３６号は、人工膝関節用脛骨コンポーネントを記載している。この脛骨コンポーネントは、大腿部コンポーネントに摺動接触するようにした上面と、一対の支持面部分とを有するプレート部材を備える。柄部は、そのプレート部材の下面から下方に延びる。羽のような一対の刃がその柄から斜め後方に延びる。そのプレート部材は、周囲の骨に対する親和性を改良するための複数の細長い溝を備えた下面を有し、その溝は第１グループの溝と、その第１グループの溝に直交して延びる第２グループの溝を備える。
【００１７】
モジュール式脛骨支持具の例は、「補綴具膝関節置換システムの脛骨コンポーネント用モジュール式脛骨支持釘（Modular Tibial support Pegs for the Tibial Component of a Prosthetic Knee Replacement System）」という名称のエリアス（Elias）特許第５，２４６，４５９号に見られる。このエリアス特許は、溝を有する脛骨に膝関節補綴具の脛骨コンポーネントを固定するために作動可能なモジュール式脛骨支持釘を開示している。そのモジュール式脛骨支持釘は、脛骨の溝に係止可能な隆起した外面を有する円筒体を備える。そのモジュール式脛骨支持釘はさらに、円筒体から下方に延びる複数のスパイクを備える。そのスパイクは、溝の下端で脛骨に係止することが可能である。
【課題を解決するための手段】
【００１８】
したがって、この発明による、
（ａ）器具本体を患者の近位脛骨に取り付ける搭載手段を有する器具本体と、
（ｂ）前記搭載手段は、患者の骨髄内管に通すことができ、患者の骨髄内管に関して外科医が外科的切除の基準とすることを可能にするロッドを備え、
（ｃ）前記器具本体は、患者の近位脛骨の切除中に外科医の切除ブレードを案内する少なくとも１つの切除ガイドを有し、
（ｄ）器具本体によって支持され、患者の内側方と外側方のいずれかの関節丘面で切除の深さを設定する手段とからなる脛骨補綴具を収納するために患者の近位脛骨を切除する脛骨切除ガイド器具が提供される。
【００１９】
また、外科用鋸子および切除器具で患者の近位脛骨を前処置する方法も提供される。
【発明を実施するための最良の形態】
【００２０】
本発明は、外科用鋸子を用いて患者の近位脛骨を前処置する改良された方法を提供する。本発明の方法は、脛骨埋込み器具を収納するために切除によって患者の脛骨を形成する時に鋸子を案内する切除器具を用いる。
【００２１】
まず、骨髄内ロッドを入れるために患者の脛骨の骨髄内管穿孔する。外科医は、次にロッドを骨髄内管内に入れ、本発明の方法の一部としてこのロッドに切除ガイド器具を取り付ける。
【００２２】
第１の切除器具が患者の近位脛骨の上方でこのロッドに取り付けられる。この第１の切除器具は、近位脛骨の第１の切除の間、外科用鋸子を案内するための横方向の切除ガイド面を有している。第１の切除器具はまた、切除開始前に近位脛骨を基準にできる調整可能なスタイラス（Stylus）手段を持つスタイラスを備える。外科医は、次に、このスタイラスを用いて切除の深さを選択的に設定し、近位脛骨表面にスタイラスを係合させる。
【００２３】
スタイラスを用いて切除の深さを設定した後、第１の横方向の切除で近位脛骨を切除する。この第１の切除中、鋸子は切除ガイド面に沿って進み、近位脛骨組織に至る。その後、第１の切除器具およびそのスタイラスを取り除く。
【００２４】
次に、第２の切除器具を患者の近位脛骨の上方に取り付ける。第２の切除器具は、外科用の鋸子刃を案内する近位脛骨の外部のガイド面と、近位脛骨中に長手方向に切り込む複数のブレードを備えたカッターとを有している。第２の切除器具を近位脛骨中の選択した深さに位置させた後、第２の切除器具を用いて近位脛骨に第２の横方向の切除を行う。鋸子はまず近位脛骨の外部をガイド面に沿って進み、次にブレード上の切り込みガイド面に沿って進む。
【００２５】
本発明の好ましい実施態様において、第１と第２の切除は、ロッドに対し、つまり患者の骨髄内管に対し、ほぼ垂直に施される。
【００２６】
本発明の方法では、第２の切除器具のカッターは、患者の近位脛骨組織内に完全に押し込まれる複数の平らなブレードを有している。このブレードは近位脛骨中に埋め込まれる。これらのカッターブレードの上面は、第１の横方向の切除面よりわずかに下にある。このことによって、外科医は第２の切除器具を用いて、脛骨の外部の第２の切除器具だけに沿うのでなく、患者の近位脛骨組織に埋め込まれたカッターブレードの上面で形成されるガイド面にも沿うことができる。
【００２７】
図１〜図４は本発明の方法の一部としての患者の遠位脛骨の第１の前処置を示す。図１において、患者の脛骨１０は近位脛骨１１として示されている。ドリル１３を用いてリーマ２１を入れるために患者の骨髄内管１２をたどる。図１にはまた、試用大腿骨補綴具をつけるために既に外科的前処置を済ませた患者の大腿骨１４が示されている。遠位大腿骨１５は通常、互いに平行な前部切除と後部切除、およびこの前部切除と後部切除にほぼ垂直な遠位切除、遠位切除と後部および前部切除との間に斜めに施される面取り切除からなる前処置が行われる。
【００２８】
図２において、患者の脛骨にほぼ平行に位置させた整列スリーブ１８と共に踝鉗子１６が患者の踝１７に取り付けられている。スリーブ１８は、本発明の脛骨切除ガイド２０の下部との接続を形成するための結合器１９を備える。踝鉗子１６は市販されており、例えば、引用によって本明細書に組み込まれるスティール（Steele）特許第５，１９７，９４４号に見られる。
【００２９】
図３において、脛骨切除ガイド２０は、患者の近位脛骨１１に隣接して設置されることが分かる。図３および図５〜図６において、脛骨切除ガイド２０は脛骨スタイラス５０に取り付けられ、切除ガイド２０とスタイラス５０の組立体が患者の骨髄内管内に設置されたリーマ２１に取り付けられることが分かる。スタイラス５０は、図５〜図１２により詳しく示されている。切除ブロック２０は、図１３〜図１６により詳しく示されている。
【００３０】
切除ブロック２０は、一対の上部フランジ２３と一対の下部フランジ２４を備えたブロック本体２２からなる。上部フランジと下部フランジ２４との間にはスロット２５，２６が延びている。スロット２５，２６は、図４に示す切除ブレード７３等の平らな切除ブレードのためのガイドとなる。この切除ブレードは市販の動力鋸子であってもよい。このような鋸子のブレード７３は、図４に示すように、患者の骨髄内管に対しほぼ平行な線７４に沿って患者の近位脛骨１１を切り離す。図４において、ブロック２２は、複数の骨スパイク３０を用いて近位脛骨１１に取り付けられている。
【００３１】
すなわち、脛骨切除ブロック２０はさらに、切除ブロック２２を脛骨スタイラス５０および結合器１９で踝鉗子１６に取り付けるために使用できる中央部分２２を備えている。切除ブロック本体２２は、図１３および図１４に示すように複数の円柱状穴２９が貫通した下部取り付け部分２８を備えている。これらの円柱状開口部２９は、骨スパイク３０の外部形態にほぼ対応する円柱状の形を有している。患者の骨髄内管に設置した細長いリーマロッド２１、スタイラス５０および踝鉗子１６を用いて整列を完了したのち、ブロック２２を患者の近位脛骨に固定するため、１つ以上の骨スパイクを対応する複数の開口部２９に通す。
【００３２】
垂直ロッド３１が、結合器１９から脛骨切除ブロック２２の中央部分２７へと延びる。止めネジ３２が切除ブロック２２の中央部分２８の開口部３３とネジ切り可能に係合する。円柱状ソケット３４が垂直ロッド３１の上端を受け止める。ロッドが円柱状ソケット３４を占めているので、止めネジをロッドに対し締めることができる。
【００３３】
内部をネジ切りした上部の円柱形状の開口部３５によって、切除ブロック２２を脛骨スタイラス５０につけることができる。垂直柱３６がスタイラス５０と切除ブロック２２の間に延びる。この柱３６は、スロット２５，２６が形成する平面に対し垂直な長手方向の中心軸を有する。さらに、柱３６の長手方向の中心軸は、患者の骨髄内管内に取り付けられているリーマロッド２１の長手方向の中心軸と平行である。柱３６は、凹部４０を介在させた一対のフランジ３８，３９を持つ下端３７を有する。
【００３４】
切除ブロック２２の中央部分２８の上方に突出する部分４１が凹部４０にはまり合う。さらに、フランジ３８，３９は、組立時、突出部４１にぴったりと合致する。ネジ接続を用いて、ネジ山が設けられた開口部３５と、垂直柱３６の垂直の穴４６を貫くボルト４９とを接続させることができる。ボルト接続は、例えば、垂直柱３６と切除ブロック２２とを組み立てるのに使用できる。
【００３５】
垂直柱３６の上端の一対の肩部４４，４５が脛骨スタイラス５０上の細長いスロット５３に合致する。柱３６の上端４３は、長手方向に延びるスロット５３の横断面と大きさおよび形状が一致する横断面を有する。スロット５３は、脛骨スタイラス５０の水平の柄５１を貫通する。スロット５３は、水平の柄５１の上面の長手開口部５２に連通する。横方向のプローブ保持体５４が柄５１にほぼ直角に延びる。ブッシュ５５が柄５１とプローブ保持体５４との接続部から上方に延びる。ブッシュ５５は、リーマ２１を受け入れる、垂直の開口穴５８を備える。止めネジ５７を用いてブッシュ５５と脛骨スタイラス全体５０をリーマ２１に固定することができる。内部をネジ切りした開口部７０が止めネジ５７を受け入れる。
【００３６】
プローブ保持体５４は、細長く垂直に延びるプローブ６０，６１をそれぞれ有する一対の側面５８，５９を有している。プローブ保持体５４は、穴５８の長手中心軸とリーマロッド２１の長手中心軸とに垂直な、ほぼ平らな上部表面６２を有する。各プローブ６０，６１はそれぞれ開口部６６，６７内を垂直に移動する。一対の水平開口部６８，６９はそれぞれ戻り止め固定部材６３，６４を有する。この戻り止め固定部材６３，６４は、バネ９７，９８によってバネ荷重することができる。戻り止め固定部材６３，６４はそれぞれ、プローブ６０，６１を通すことができる開口部を有する。各プローブ６０，６１は、垂直に等間隔をおいて配した複数の歯７６を備える（図６参照）。
【００３７】
歯７６と歯７６の間の空間は、解放状態では、各戻り止め固定部材６３，６４によって止め部９６でかみ合っており、それによって各プローブ６０，６１の位置をプローブ保持体５４に対して固定している。各戻り止め固定部材６３，６４は止めピン１０１によって開口部６８，６９の中に保持されている。
【００３８】
長手開口部５２は側壁７２と長手延出肩部７１によって取り囲まれている。これは、垂直柱３６の垂直穴４６の中心を介してネジ切り開口部３５に取り付けるためのボルト４９を、長穴５２の中に位置づけることを可能にする。さらに、ボルト４９の頭部４３はそれに負荷をかける肩部７１上に置かれている。
【００３９】
図１７〜図１８および図２１〜図２３において、脛骨第２前処置ガイド７５が示されている。脛骨第２前処置ガイド７５は、間隔を置いて配置された柱７７と柱８２からなる一対の垂直柱を備えた器具本体７６を有している。柱７７は、円形状に複数配置され放射状に延びるカッティングブレード７９〜８１を備えた円柱状のカッティング部材７８を支持している。垂直柱８２は上部水平フランジ８３と下部水平フランジ８４を備えた一対のフランジ部を支持している。
【００４０】
図２１〜図２３に示すように、一対の平面状の切除ブレードガイドスロット８５，８６は、上部水平フランジ８３と下部水平フランジ８４との間に位置している。使用中、外科医は患者の骨髄内管に設置されたリーマ２１の周りに脛骨第２前処置ガイドを位置させる。これは、図１７に示すように、３つのカッティングブレード７９〜８１と円柱状のカッティング部材７８とを患者の近位脛骨１１の中央に位置付ける。
【００４１】
図１７〜図１８に示すように、外科医は、器具の本体７６の平面８８をハンマーでたたき、カッティングブレード７９〜８１を近位脛骨１１内に案内する。図１８に示すように、外科医は、カッティングブレード７９〜８１の上面が近位脛骨１１の表面のちょうど下に位置するまで、平面８８をハンマーでたたく。これは、外科医が組織の層を近位脛骨１１から非常に正確に削り取ることを可能にする。図２１に示すように、鋸子のブレード８９は、フランジ８３，８４によって支持されるだけではなく、フランジ８４の上面９１と共通の平面上にあるブレード７９〜８１の上面９０によってもまた支持される。図２１の点線１０２は近位脛骨の２次切除における鋸子のブレード８９の経路を示す。
【００４２】
近位脛骨１１に対して２次切除がなされた後、試用補綴具を患者の近位脛骨１１上に設置することができる。図１９〜図２０に示すように、脛骨の試用補綴具９２が患者の骨髄内管１２内に設置されるように示されている。脛骨の試用補綴具９２は、金属板あるいはトレイ９３、柄あるいはプラグ９４、およびプラスチックの試用挿入部の、３つのコンポーネントを含むことができる。図２０に示すように、脛骨の補綴具９２は、外科医によって患者の近位脛骨１１上に設置されている。外科医は、また、試用大腿骨補綴具１００を遠位大腿骨１５上に設置する。
【００４３】
ここで述べたこの発明の意図の範囲内において、多くの変形と異なる態様を作ることが可能であり、また、法の要求する記述に従ってここに詳細に述べられた実施態様においては、多くの変形例を作ることが可能であるので、ここにおける詳細な記述は一例として解釈されるべきであり、この内容に限定されるものではないことが理解されよう。
【図面の簡単な説明】
【００４４】
【図１】脛骨の前処置を示す概略斜視図である。
【図２】踝鉗子の装着と、脛骨切除ブロックとその脛骨スタイラス部分を表す本発明の装置の好ましい実施態様を示す概略斜視図である。
【図３】本発明の装置の好ましい実施態様の脛骨切除ブロックと脛骨スタイラス部分を示す斜視図である。
【図４】脛骨切除ブロックを用いた近位脛骨の切除を示す部分斜視図である。
【図５】本発明の装置の好ましい実施態様の脛骨切除ブロックと脛骨スタイラス部分を示す分解斜視図である。
【図６】脛骨スタイラスを示す分解斜視図である。
【図６Ａ】脛骨スタイラスを示す部分断面正面図である。
【図７】本発明の装置の好ましい実施態様の脛骨スタイラス部分を示す平面図である。
【図８】脛骨スタイラスの部分断面図である。
【図９】脛骨スタイラスの部分斜視図である。
【図１０】脛骨スタイラスの部分図である。
【図１１】脛骨スタイラスの別の部分断面図である。
【図１２】本発明の装置の好ましい実施態様の部分断面図である。
【図１３】本発明の装置の好ましい実施態様の脛骨切除ブロック部分の正面図である。
【図１４】本発明の装置の好ましい実施態様の脛骨切除ブロックの平面図である。
【図１５】本発明の装置の好ましい実施態様の脛骨切除ブロックの断面図である。
【図１６】本発明の装置の好ましい実施態様の脛骨切除ブロック部分の部分断面図である。
【図１７】本発明の装置の好ましい実施態様の脛骨第２前処置ガイド部分の設置を示す斜視図である。
【図１８】脛骨第２前処置ガイドと近位脛骨の二次仕上げを示す斜視図である。
【図１９】患者の近位脛骨への試用脛骨補綴具の取り付けを示す。
【図２０】患者の遠位大腿骨と近位脛骨にそれぞれ取り付けられた、試用脛骨補綴具の回転前の試用大腿骨補綴具と試用脛骨補綴具を示す。
【図２１】本発明の装置の好ましい実施態様の脛骨第２前処置ガイド部分の斜視図である。
【図２２】脛骨第２前処置ガイドの正面図である。
【図２３】脛骨前処置ガイドの側面立面図である。
【符号の説明】
【００４５】
１０  脛骨
１１  近位脛骨
１２  骨髄内管
１３  ドリル
１４  大腿骨
１５  遠位大腿骨
１６  踝（くるぶし）鉗子
１７  踝
１８  整列スリーブ
１９  結合器
２０  脛骨切除ガイド
２１  延長リーマロッド
２２  切除ブロック本体
２３  上部フランジ
２４  下部フランジ
２５  水平スロット
２６  水平スロット
２７  中央部分
２８  取り付け部
２９  円柱状穴
３０  骨スパイク
３１  垂直ロッド
３２  止めネジ
３３  ネジ切り開口部
３４  円柱状ソケット
３５  ネジ切り開口部
３６  垂直柱
３７  下端
３８  フランジ
３９  フランジ
４０  凹部
４１  突出部
４３  頭部
４４  肩部
４５  垂直穴
４７  凹部
４８  凹部
４９  ボルト
５０  脛骨スタイラス
５１  水平の柄
５２  長手開口部
５３  長手開口部
５４  プローブ保持体
５５  ブッシュ（軸受け筒）
５６  垂直の開口穴
５７  止めネジ
５８  側面
５９  側面
６０  プローブ
６１  プローブ
６２  平面
６３  戻り止め固定部
６４  戻り止め固定部
６５  ボルト接続部
６６  開口部
６７  開口部
６８  水平開口部
６９  水平開口部
７０  ネジ切り開口部
７１  長手延出肩部
７２  側壁
７３  鋸子の刃
７４  横断切除
７５  脛骨第２前処置ガイド
７６  本体
７７  垂直柱
７８  円柱状のカッティング部材
７９  ブレード
８０  ブレード
８１  ブレード
８２  垂直柱
８３  上部水平フランジ
８４  下部水平フランジ
８５  切除ガイドスロット
８６  切除ガイドスロット
８７  開放垂直穴
８８  平面
８９  ブレード
９０  上面
９１  上面
９２  試用補綴具
９３  トレイ
９４  柄
９５  挿入部
９６  止め部
９７  スプリング
９８  スプリング
９９  開口
１００  開口
１０１  止めピン
１０２  横断切除面
【図１】
0004610427.tif 000002
【図２】
0004610427.tif 000003
【図３】
0004610427.tif 000004
【図４】
0004610427.tif 000005
【図５】
0004610427.tif 000006
【図６】
0004610427.tif 000007
【図６Ａ】
0004610427.tif 000008
【図７】
0004610427.tif 000009
【図８】
0004610427.tif 000010
【図９】
0004610427.tif 000011
【図１０】
0004610427.tif 000012
【図１１】
0004610427.tif 000013
【図１２】
0004610427.tif 000014
【図１３】
0004610427.tif 000015
【図１４】
0004610427.tif 000016
【図１５】
0004610427.tif 000017
【図１６】
0004610427.tif 000018
【図１７】
0004610427.tif 000019
【図１８】
0004610427.tif 000020
【図１９】
0004610427.tif 000021
【図２０】
0004610427.tif 000022
【図２１】
0004610427.tif 000023
【図２２】
0004610427.tif 000024
【図２３】
0004610427.tif 000025